(57)【要約】【課題】１相分の計器用変圧器しか設置していない電気所、例えば一回線受電所や個別受電所などでも地絡を検出できるようにすること。【解決手段】正相１相の電圧のみを検出する計器用変圧器の検出値が規定の閾値を超えたかどうかを判定し（ステップＳ１０１）、計器用変圧器の検出値が規定の閾値を超えた場合、電気所よりも需要者側に設置されて２相又は３相の不足電圧を検出すると動作信号を出力する不足電圧継電器から動作信号を受信したかどうかを判定し（ステップＳ１０３、ステップＳ１０４）、不足電圧継電器から動作信号を受信しなかったならば地絡が発生したと判定する（ステップＳ１０５、ステップＳ１０６）。地絡の発生を判定した場合にはその旨を例えば表示器に表示する（ステップＳ１０７）。【選択図】図４
2014081322.tif 000002
【特許請求の範囲】
【請求項１】
電気所に設置されて正相１相の電圧のみを検出する計器用変圧器の検出値が規定の閾値を超えたかどうかを判定する第１の判定工程と、
前記電気所よりも需要者側に設置されて２相又は３相の不足電圧を検出すると動作信号を出力する不足電圧継電器から動作信号を受信する受信工程と、
前記計器用変圧器の検出値が規定の閾値を超えた場合、前記不足電圧継電器から動作信号を受信しなかったならば地絡が発生したと判定する第２の判定工程と、
を備えることを特徴とする正相１相電圧による地絡短絡判定方法。
【請求項２】
前記第１の判定工程は、正相１相電圧の値が上昇したか下降したかを判定する第１のサブ工程を備え、
前記第２の判定工程は、前記不足電圧継電器から動作信号を受信した場合、前記第１のサブ工程にて正相１相電圧の値の下降が判定されていれば前記計器用変圧器による検出相の地絡を判定し、正相１相電圧の値の上昇が判定されていれば前記計器用変圧器による検出相以外の地絡を判定する第２のサブ工程を備える、
ことを特徴とする請求項１に記載の正相１相電圧による地絡短絡判定方法。
【請求項３】
前記第２の判定工程による判定結果を報知する報知工程を更に備える、
ことを特徴とする請求項１又は２に記載の正相１相電圧による地絡短絡判定方法。
【請求項４】
電気所に設置されて正相１相の電圧のみを検出する計器用変圧器の検出値が規定の閾値を超えたかどうかを判定する第１の判定手段と、
前記電気所よりも需要者側に設置されて２相又は３相の不足電圧を検出すると動作信号を出力する不足電圧継電器から動作信号を受信する受信手段と、
前記計器用変圧器の検出値が規定の閾値を超えた場合、前記不足電圧継電器から動作信号を受信しなかったならば地絡が発生したと判定する第２の判定手段と、
を備えることを特徴とする正相１相電圧による地絡短絡判定装置。
【請求項５】
前記第１の判定手段は、正相１相電圧の値が上昇したか下降したかを判定する第１のサブ手段を備え、
前記第２の判定手段は、前記不足電圧継電器から動作信号を受信した場合、前記第１のサブ手段にて正相１相電圧の値の下降が判定されていれば前記計器用変圧器による検出相の地絡を判定し、正相１相電圧の値の上昇が判定されていれば前記計器用変圧器による検出相以外の地絡を判定する第２のサブ手段を備える、
ことを特徴とする請求項４に記載の正相１相電圧による地絡短絡判定装置。
【請求項６】
前記第２の判定手段による判定結果を報知する報知手段を更に備える、
ことを特徴とする請求項４又は５に記載の正相１相電圧による地絡短絡判定手段。
【発明の詳細な説明】
【技術分野】
【０００１】
本発明は、３相のうち１相分の電圧のみを計器用変圧器によって計測する電気所において正相１相電圧によって地絡を検出するようにした正相１相電圧による地絡検出方法及びその装置に関する。
【背景技術】
【０００２】
変電所においては一般的に、３相分の全ての電圧を計器用変成器（例えば計器用変圧器）で監視している。つまり変電所の受電設備には保護継電器が３相分設けられているのが通常である。保護継電器は送配電経路や負荷設備に発生した短絡・地絡を計器用変成器によって検出し、故障区間を選択して電力系統より切り離すよう遮断器に制御信号を送り出す。遮断器−母線−変圧器−配電線という回路構成になっているため、遮断器の遮断によって故障区間の切り離しが可能になるわけである。
【０００３】
ところで電気所の設備は大小様々であり、場所によっては受電するのみで保護継電器がない電気所もある。いわゆる一回線受電所や個別受電所である。このような電気所は計器用変圧器を３相分設置しておらず、１相分しか設置していないことが多い。１相分の計器用変圧器は電圧の有無を検出する用途で設置されている。
【０００４】
保護継電器の備えがない電気所で短絡が発生した場合、給電側の変電所に設置された保護継電器がこれを検出して遮断器を自動で遮断動作させる。このため特段の問題は生じない。問題は地絡が発生した場合である。地絡の場合には遮断器の遮断動作が行なわれないからである。また当然のことながら計器用変圧器が１相分しか設置されていない電気所では零相電圧の検出ができず、したがって地絡が発生したことを知ることができない。
【０００５】
地絡の検出については特許文献１に記載がある。この文献は、零相電圧を監視して１線地絡事故を検出して地絡過電圧リレーを自動で開動作させる技術（地絡過電圧リレー方式）を開示している（特許文献１の第１頁右欄第１３行〜第２頁左下欄第１０行目参照）。
また特許文献２は、ＰＴ（計器用変圧器）の各相電圧値から１線地絡を検出することを開示している（特許文献２の段落００１９参照）。１線地絡時に３相の相電圧のうちの１相のみの電圧が小さくなることに着目して地絡事故を検出する技術である。より具体的には、
・零相電圧Ｖ０と所定の設定電圧値Ｖｋとを比較した場合、零相電圧が設定電圧値Ｖｋ以上であること
・各相電圧Ｖａ，Ｖｂ，Ｖｃの何れか１相のみの電圧が設定電圧値Ｖｋ以下であること
のアンド条件が成立したときに１線地絡と判断する（特許文献２の段落００２５参照）。
【先行技術文献】
【特許文献】
【０００６】
【特許文献１】特開平１１−３０８７５７号公報
【特許文献２】特開昭６３−１１７６１７号公報
【発明の概要】
【発明が解決しようとする課題】
【０００７】
特許文献１、２に記載された発明はいずれも零相電圧の検出を地絡検出の前提としている。このため計器用変圧器が１相分しか設置されていない電気所ではその適用が不可能である。３相それぞれに計器用変圧器が設置されていなければ零相電圧を検出することができないからである。
【０００８】
本発明はこのような点に鑑みなされたもので、１相分の計器用変圧器しか設置していない電気所、例えば一回線受電所や個別受電所などでも地絡の発生を検出できるようにすることを目的とする。
【課題を解決するための手段】
【０００９】
本発明の正相１相電圧による地絡短絡判定方法は、電気所に設置されて正相１相の電圧のみを検出する計器用変圧器の検出値が規定の閾値を超えたかどうかを判定する第１の判定工程と、前記電気所よりも需要者側に設置されて２相又は３相の不足電圧を検出すると動作信号を出力する不足電圧継電器から動作信号を受信する受信工程と、前記計器用変圧器の検出値が規定の閾値を超えた場合、前記不足電圧継電器から動作信号を受信しなかったならば地絡が発生したと判定する第２の判定工程と、を備えることによって上記課題を解決した。
【００１０】
本発明の正相１相電圧による地絡短絡判定装置は、電気所に設置されて正相１相の電圧のみを検出する計器用変圧器の検出値が規定の閾値を超えたかどうかを判定する第１の判定手段と、前記電気所よりも需要者側に設置されて２相又は３相の不足電圧を検出すると動作信号を出力する不足電圧継電器から動作信号を受信する受信手段と、前記計器用変圧器の検出値が規定の閾値を超えた場合、前記不足電圧継電器から動作信号を受信しなかったならば地絡が発生したと判定する第２の判定手段と、を備えることによって上記課題を解決した。
【発明の効果】
【００１１】
本発明によれば、正相１相の電圧のみを検出する計器用変圧器の検出値が規定の閾値を超えたことを検出することによって短絡及び地絡の発生を判定し、このとき電気所よりも需要者側に設置されて２相又は３相の不足電圧を検出すると動作信号を出力する不足電圧継電器から動作信号を受信していないことを確認することによって地絡の発生のみを絞り込んで判定することができ、したがって、１相分の計器用変圧器しか設置していない電気所であっても地絡の発生を検出することができる。
【図面の簡単な説明】
【００１２】
【図１】正相３相（ａ相、ｂ相、ｃ相）の電圧ベクトルを示す図であり、（ａ）は正常時、（ｂ）はａ相地絡時（ケース１）、（ｃ）はｂ相地絡時（ケース２）、（ｄ）はｂ相とｃ相との間の短絡時（ケース３）、（ｅ）はａ相とｂ相との間の短絡時（ケース４）、（ｆ）は３相間の短絡時（ケース５）、（ｇ）はｂ相とｃ相との地絡時（ケース６）、（ｈ）はａ相とｂ相との地絡時（ケース７）におけるそれぞれの電圧ベクトルを示す模式図。
【図２】個々のケースでのａ相電圧の大きさを予め設定された閾値（ｌｏｗＴＨ（Ｖ）及びＨｉｇｈＴＨ（Ｖ））と共に示すグラフ。
【図３】実施の一形態である正相１相電圧による地絡検出方法を実施する地絡検出装置のハードウェア構成図。
【図４】正相１相電圧による地絡検出の処理の流れを示すフローチャート。
【発明を実施するための形態】
【００１３】
実施の一形態を図面に基づいて説明する。本実施の形態は、正相１相電圧による地絡検出方法及びその装置への適用例である。
説明は次の項目に沿って行なう。
１．対象となる電気所
２．正相１相電圧による地絡検出の原理
（１）概要
（２）第一段階目の処理
（３）第二段階目の処理
（４）まとめ
３．地絡検出装置のハードウェア構成
４．地絡検出装置が実行する処理手順
（１）第１の判定工程・手段
（２）第１のサブ工程・手段
（３）受信工程・手段、第２の工程・手段、第２のサブ工程・手段
（４）報知工程・手段
５．作用効果
６．変形例
【００１４】
１．対象となる電気所
本実施の形態の地絡検出方法及びその装置が適用される電気所は、受電するのみで保護継電器がない電気所、いわゆる一回線受電所や個別受電所である。計器用変圧器３１を３相分設置しておらず、１相分しか設置していない。したがって１相分の電圧しか計測することができない。
本実施の形態の地絡検出方法及びその装置は、このような１相分の電圧しか計測することができない一回線受電所や個別受電所などのような電気所でもそこで発生した地絡を検出できるようにすることを意図している。つまり正相１相電圧による地絡検出を実現する方法及び装置である。
【００１５】
２．正相１相電圧による地絡検出の原理
（１）概要
図１は正相３相（ａ相、ｂ相、ｃ相）の電圧ベクトルを示す模式図である。
電路１１（図３参照）はａ相とｂ相とｃ相との三相で交流の電気を需要家に送り届けている。これらのａ相、ｂ相、及びｃ相の電圧はそれぞれ１２０度ずつ位相をずらされている。したがって正常時には、ａ相とｂ相とｃ相との間には１２０度の位相差が発生している。これを表しているのが図１（ａ）である。
図１（ａ）は正常時における各相の電圧ベクトルを示している。図１（ａ）中、実線で示す矢印はａ相の電圧ベクトルである。ａ相から１２０度時計方向に進んだ点線で示す矢印はｂ相の電圧ベクトルである。そしてｂ相から更に１２０度時計方向に進んだ点線で示す矢印はｃ相の電圧ベクトルである。ａ相、ｂ相、及びｃ相を示すベクトル矢印の出発点は中性点を示している。
【００１６】
本実施の形態の地絡検出装置は３相のうちの１相、ここではａ相の電圧だけを計器用変圧器３１によって検出する。そして検出したａ相の電圧が規定の閾値を越えた場合、２相又は３相の不足電圧を検出すると動作信号を出力する不足電圧継電器（図示せず）から動作信号を受信しなかったならば地絡が発生したと判定する。これが正相１相電圧による地絡検出の原理である。
何故このような手法でもって地絡の検出が可能なのであろうか。これについて以下解説する。
【００１７】
（２）第一段階目の処理
まず図１（ｂ）〜（ｈ）に示す七つの状況が発生したと仮定し、その時の各相（ａ相、ｂ相、ｃ相）の状態を観察する。七つの状況は次のとおりである。
≪ケース１≫  ａ相に地絡発生（図１（ｂ））
≪ケース２≫  ｂ相に地絡発生（図１（ｃ））
≪ケース３≫  ｂ相とｃ相との間に短絡発生（図１（ｄ））
≪ケース４≫  ａ相とｂ相との間に短絡発生（図１（ｅ））
≪ケース５≫  ３相の間に短絡発生（図１（ｆ））
≪ケース６≫  ｂ相とｃ相とに地絡発生（図１（ｇ））
≪ケース７≫  ａ相とｂ相とに地絡発生（図１（ｈ））
【００１８】
図１（ｂ）はケース１の場合の各相の状態を示している。
ａ相に地絡が発生した場合、各相の位相は図１（ｂ）に示すように変化する。そしてａ相の電圧が低下し、逆にｂ相及びｃ相の電圧が上昇する。具体的には地絡したａ相の電圧は０（Ｖ）になり、健全相であるｂ相及びｃ相の電圧は√３倍まで上昇する（ただし完全地絡の場合）。例えば正常時の正相電圧が６３．５（Ｖ）であると想定すると、完全地絡の場合のｂ相及びｃ相の電圧は約１１０（Ｖ）になる。完全地絡でない場合には、ａ相の電圧は０（Ｖ）近くに低下し、ｂ相及びｃ相の電圧は約１１０（Ｖ）近くまで上昇する。
【００１９】
図１（ｃ）はケース２の場合の各相の状態を示している。
ｂ相に地絡が発生した場合、各相の位相は図１（ｃ）に示すように変化する。そしてｂ相の電圧が低下し、逆にａ相及びｂ相の電圧が上昇する。具体的には地絡したｂ相の電圧は０（Ｖ）になり、健全相であるａ相及びｃ相の電圧は√３倍まで上昇する（ただし完全地絡の場合）。例えば正常時の正相電圧が６３．５（Ｖ）であると想定すると、完全地絡の場合のａ相及びｃ相の電圧は約１１０（Ｖ）になる。完全地絡でない場合には、ｂ相の電圧は０（Ｖ）近くに低下し、ａ相及びｃ相の電圧は約１１０（Ｖ）近くまで上昇する。
【００２０】
ではｃ相に地絡が発生した場合はどうなるのか。
図示はしないが電圧ベクトルが図１（ｃ）に示す状態と左右対称に反転する。つまりｃ相の電圧が低下し、逆にａ相及びｂ相の電圧が上昇する。具体的には地絡したｃ相の電圧は０（Ｖ）になり、健全相であるａ相及びｂ相の電圧は√３倍まで上昇する（ただし完全地絡の場合）。例えば正常時の正相電圧が６３．５（Ｖ）であると想定すると、完全地絡の場合のａ相及びｂ相の電圧は約１１０（Ｖ）になる。完全地絡でない場合には、ｃ相の電圧は０（Ｖ）近くに低下し、ａ相及びｂ相の電圧は約１１０（Ｖ）近くまで上昇する。
【００２１】
図１（ｄ）はケース３の場合の各相の状態を示している。
ｂ相とｃ相と間に短絡が発生した場合、各相の位相は図１（ｄ）に示すように変化する。このときａ相の電圧は変化せず、ｂ相及びｃ相の電圧が同じ値だけ下降する。
【００２２】
図１（ｅ）はケース４の場合の各相の状態を示している。
ａ相とｂ相との間に短絡が発生した場合、各相の位相は図１（ｅ）に示すように変化する。このときｃ相の電圧は変化せず、ａ相及びｂ相の電圧が同じ値だけ下降する。
【００２３】
図１（ｆ）はケース５の場合の各相の状態を示している。
三相の間に短絡が発生した場合、各相の位相は図１（ｆ）に示すように変化する。このときａ相、ｂ相及びｃ相の電圧は共に同じ値だけ下降する。
【００２４】
図１（ｇ）はケース６の場合の各相の状態を示している。
ｂ相及びｃ相に地絡が発生した場合、各相の位相は図１（ｇ）に示すように変化する。このときａ相の電圧が上昇し、ｂ相及びｃ相の電圧が同じ値だけ下降する。
【００２５】
図１（ｈ）はケース７の場合の各相の状態を示している。
ａ相とｂ相との間に短絡が発生した場合、各相の位相は図１（ｇ）に示すように変化する。このときｃ相の電圧が上昇し、ａ相及びｂ相の電圧が同じ値だけ下降する。
【００２６】
図２はａ相電圧の大きさを予め設定された閾値と共に示すグラフである。
本実施の形態では上記ケース１〜７という七つの状況でのａ相の電圧の大きさに着目する。何故ａ相かというと、ａ相の電圧だけが計器用変圧器３１によって検出されるからである。
【００２７】
（３）第二段階目の処理
ここで思い出してもらいたことは本実施の形態の方法及び装置の意図である。
前述したとおり本実施の形態ではそもそも地絡の検出を意図としている。したがって真に検出したいのは上記ケース１及び２（ｃ相地絡の場合も含む）の状況である。これらの状況が発生したことを検出するために本実施の形態は、計器用変圧器３１によって検出したａ相の電圧の大きさを観察している。つまりａ相に地絡が発生したケース１の場合にはａ相の電圧が小さくなり、ｂ相に地絡が発生したケース２の場合にはａ相の電圧は反対に大きくなる（ｃ相地絡の場合も同様）。そこでこのような電圧の変動を検出することで上記ケース１及び２の状況の発生を判定するわけである。
【００２８】
より詳細には、ケース１の場合にａ相がとる完全地絡の場合の電圧値０（Ｖ）にある程度のマージンをとったｌｏｗＴＨ（Ｖ）を規定の下限値とする。またケース２の場合にａ相がとる完全地絡の場合の電圧値約１１０（Ｖ）にある程度のマージンをとったＨｉｇｈＴＨ（Ｖ）を規定の上限値とする。そこでｌｏｗＴＨ（Ｖ）及びＨｉｇｈＴＨ（Ｖ）を規定の閾値として設定し、計器用変圧器３１が検出した本来６３．５Ｖであるａ相の電圧の値がｌｏｗＴＨ（Ｖ）又はＨｉｇｈＴＨ（Ｖ）を越えたかどうかを判定し、これをもって上記ケース１及び２（ｃ相地絡の場合も含む）の状況の発生を推定する。
【００２９】
ところがここで問題が発生する。
計器用変圧器３１が検出したａ相の電圧の値が規定の閾値であるｌｏｗＴＨ（Ｖ）又はＨｉｇｈＴＨ（Ｖ）を越えたかどうかという判定手法では、上記ケース４〜７として例示した短絡の場合の状況も検出してしまうからである。つまりこの手法では地絡と短絡とを判別できないわけである。
したがってケース４〜７の状況をノイズとして排除しなければならない。
【００３０】
もっとも上記ケース６及び７は地絡が発生している状況なのではないかとの疑問が生ずるかもしれない。前述したように本実施の形態の方法及び装置が意図しているのは地絡の検出である。にもかかわらず何故ケース６及び７の状況をノイズとして排除しなければならないのか。その答えを知るには何故に１相分の電圧しか計測しない電気所で地絡を検出したいのかということにまで遡る必要がある。
先述したように、１相分の電圧しか計測しない電気所で短絡が発生した場合、給電側の変電所に設置された保護継電器がこれを検出して遮断器を自動で遮断動作させる。ところが地絡の場合にはそうはいかない。遮断器が遮断動作しないのである。当然のことながら計器用変圧器が１相分しか設置されていなければ零相電圧の検出ができないので地絡の発生を知ることができない。これが１相分の電圧しか計測しない電気所で地絡を検出したい理由である。
では先のケース６及び７の場合はどうか。これらの場合、地絡ではあっても保護継電器による遮断器の自動遮断動作が実行されるのである。したがって１相分の電圧しか計測しない電気所でケース６及び７の状況が発生したことを知る必要がない。これが本実施の形態においてケース６及び７の状況をノイズとして排除する理由である。
【００３１】
ケース４〜７の状況をノイズとして排除する話題に戻る。このようなノイズの排除のために本実施の形態では、電気所よりも需要者側に設置された不足電圧継電器（図示せず）の動作信号を利用する。不足電圧継電器は、２相又は３相の不足電圧を検出すると動作信号を出力する。つまりケース３〜７のような状況が発生すると動作信号を出力するわけである。例えばケース３の場合、不足電圧継電器はｂ相とｃ相との２相の不足電圧を検出するので動作信号を出力する。ケース４の場合はａ相とｂ相との２相、ケース５の場合には３相、ケース６の場合にはｂ相とｃ相との２相、そしてケース７の場合にはａ相とｂ相との２相の不足電圧をそれぞれ検出し、動作信号を出力する。これに対してケース１と２の場合には２相又は３相の不足電圧を検出せず、したがって不足電圧継電器は動作信号を出力しない。そこで不足電圧継電器の動作信号を取り込めるようにすることで、ケース４〜７の状況をノイズとして排除することが可能となる。
【００３２】
（４）まとめ
したがって本実施の形態の地絡判定方法及びその装置は、
（条件１）
計器用変圧器３１が検出した正常時６３．５Ｖであるａ相の電圧の値がｌｏｗＴＨ（Ｖ）又はＨｉｇｈＴＨ（Ｖ）を越えたこと
（条件２）
不足電圧継電器から動作信号を受信していないこと
という二つの条件が揃ったことをもって、電気所に地絡が発生したと判定する。
【００３３】
３．地絡検出装置のハードウェア構成
地絡検出装置の中核をなすのは制御部１０１である。制御部１０１は電路１１の１相分にのみ設置された計器用変圧器３１に接続され、計器用変圧器３１の出力である１相の電圧値を取り込む。このような制御部１０１は一例としてマイクロコンピュータ（以下、マイコンと略称）を主体として構成されている。マイコンは各種処理を実行するマイクロプロセッサ（ＣＰＵ）とメモリとを備え、マイクロプロセッサがメモリに保存しているプログラムを読み込んでプログラムに従った処理を実行する。
【００３４】
制御部１０１は計器用変圧器３１がアナログ信号として出力する１相の電圧値をＡ／Ｄコンバータで二値化し、これをサンプリングして量子化し、マイコンのＩ／Ｏに入力する（各部はすべて図示せず）。
【００３５】
制御部１０１は受信ポート（図示せず）を備え、この受信ポートにもう一種類の重要な信号を受信する。２７リレー、つまり不足電圧継電器（図示せず）からの動作信号である。不足電圧継電器（ＵＶＲ）は周知のように電路１１の電圧が規定値よりも下がった場合に動作する継電器であり、停電や短絡などに伴う電圧低下の警報用などに用いられる。より詳細には２相又は３相の不足電圧を検出すると動作信号を出力する。本実施の形態ではこうして不足電圧継電器が出力する動作信号を制御部１０１が受信ポートを介して受信する。
【００３６】
制御部１０１は受信ポートを介して受信したアナログ信号である不足電圧継電器の動作信号をＡ／Ｄコンバータで二値化し、マイコンのＩ／Ｏに入力する。
【００３７】
制御部１０１は更に表示器１０２を接続している。地絡が発生したと判定した場合、制御部１０１はその判定結果を表示器１０２に表示して報知する。
【００３８】
４．地絡検出装置の処理手順
（１）第１の判定工程・手段
制御部１０１は、正相１相電圧に変動が生じたかどうかの判定に待機している（ステップＳ１０１）。つまり計器用変圧器３１から１相分の電圧値をマイコンに取り込み、マイコンでその電圧値が規定の下限値であるｌｏｗＴＨ（Ｖ）を下回ったかどうか、また規定の上限値であるＨｉｇｈＴＨ（Ｖ）を上回ったかどうかを判定する。
この判定は、図１及び図２中のケース１、２に例示する地絡が電気所に発生しているか、そしてケース４〜７に例示する短絡（あるいは二相の地絡）が電気所に発生しているかを確かめるための判定である。
【００３９】
ケース１、２に例示するような地絡やケース４〜７に例示するような短絡（あるいは二相の地絡）が発生していなければ、制御部１０１のマイコンは正相１相電圧に変動が生じないと判定する（ステップＳ１０１のＮＯ）。この場合には地絡が発生していないのでそのままステップＳ１０１の待機判定処理にリターンする。
【００４０】
（２）第１のサブ工程・手段
これに対してケース１、２に例示するような地絡やケース４〜７に例示するような短絡（あるいは二相の地絡）が発生した場合、制御部１０１のマイコンは正相１相電圧が変動したと判定する（ステップＳ１０１のＹＥＳ）。そこでこの場合マイコンは、地絡のみを判定したいがために短絡（あるいは二相の地絡）をノイズとして排除するための処理を実行する（ステップＳ１０３又は１０４）。
ただその前に電圧検出層であるａ相に地絡が発生したのかそれ以外のｂ相又はｃ相に地絡が発生したのかを判別するための処理を実行する（ステップＳ１０２）。つまり制御部１０１のマイコンは、ステップＳ１０１で判定した正相１相電圧の変動が上昇なのかどうかを判定する（ステップＳ１０２）。
【００４１】
（３）受信工程・手段、第２の工程・手段、第２のサブ工程・手段
制御部１０１のマイコンは、正相１相電圧の上昇ではないこと、つまりは下降であると判定した場合には（ステップＳ１０２のＮＯ）、ここで初めて２７リレー、つまり不足電圧継電器から動作信号を受信したかどうかを判定する（ステップＳ１０３）。
不足電圧継電器は２相又は３相の不足電圧を検出すると動作信号を出力する。例えば図１及び図２中のケース４〜７に例示するような短絡（あるいは二相の地絡）が発生した場合である。したがって制御部１０１のマイコンは、不足電圧継電器から動作信号を受信したと判定した場合にはケース４〜７に例示するような短絡（あるいは二相の地絡）が発生しているはずなのでステップＳ１０１の待機判定処理にリターンする。これによって短絡（あるいは二相の地絡）現象がノイズとして排除される。
これに対して制御部１０１のマイコンは、不足電圧継電器から動作信号を受信していないと判定した場合には地絡が発生したと判定する（ステップＳ１０５）。この場合の地絡はケース１に例示するような地絡、つまり電圧検出相であるａ相の地絡である。正相１相電圧が下降していたからである（図１、図２、ステップＳ１０２参照）。
【００４２】
一方、制御部１０１のマイコンは、ステップＳ１０２の処理で正相１相電圧の上昇であるであると判定した場合には（ステップＳ１０２のＹＥＳ）、２７リレー、つまり不足電圧継電器から動作信号を受信したかどうかを判定する（ステップＳ１０４）。不足電圧継電器から動作信号を受信したと判定した場合にはケース４〜７に例示するような短絡（あるいは二相の地絡）が発生しているはずなのでステップＳ１０１の待機判定処理にリターンする。これによって短絡（あるいは二相の地絡）現象がノイズとして排除される。
これに対して制御部１０１のマイコンは、不足電圧継電器から動作信号を受信していないと判定した場合には地絡が発生したと判定する（ステップＳ１０６）。この場合の地絡はケース２に例示するような地絡、つまり電圧検出相であるａ相以外のｂ相又はｃ相の地絡である。正相１相電圧が上昇していたからである（図１、図２、ステップＳ１０２参照）。
【００４３】
（４）報知工程・手段
制御部１０１のマイコンは、地絡の発生を判定したならば（ステップＳ１０５又は１０７）、その旨を表示器１０２に表示してオペレーターに報知する（ステップＳ１０７）。このときａ相に地絡が発生したと判定した場合には（ステップＳ１０５）、ａ相の地絡であることを表示器１０２に表示する。またｂ相又はｃ相に地絡が発生したと判定した場合には（ステップＳ１０７）、ｂ相又はｃ相の地絡であることを表示器１０２に表示する。
【００４４】
５．作用効果
以上説明したように本実施の形態の地絡検出方法及びその装置は、正相１相の電圧のみを検出する計器用変圧器３１の検出値が規定の閾値（ｌｏｗＴＨ（Ｖ）又はＨｉｇｈＴＨ（Ｖ））を超えたことを検出することによって短絡及び地絡の発生を判定し、このとき電気所よりも需要者側に設置された不足電圧継電器からの動作信号を受信していないことを確認することによって地絡の発生のみを絞り込んで判定することができる。したがって、１相分の計器用変圧器３１しか設置していない電気所であっても地絡の発生を検出することができる。
【００４５】
また本実施の形態の地絡検出方法及びその装置は、電圧検出相であるａ相の地絡なのかそれ以外のｂ相又はｃ相の地絡なのかを区別して検出し、その結果を表示器１０２に表示して報知することができる。したがってその後の地絡解決作業の円滑化に貢献する。
【００４６】
６．変形例
実施に際しては各種の変形や変更が可能である。
例えば制御部１０１は、デジタル回路やシーケンサによって構成することができる。その他にも様々な変形や変更が許容される。
【符号の説明】
【００４７】
３１  計器用変圧器
Ｓ１０１  第１の判定工程、第１の判定手段
Ｓ１０３  第２の判定工程（第２のサブ工程）、第２の判定手段（第２のサブ手段）
Ｓ１０４  第２の判定工程（第２のサブ工程）、第２の判定手段（第２のサブ手段）
Ｓ１０２  第１のサブ工程
Ｓ１０７  報知工程、報知手段
【図１】
2014081322.tif 000003
【図２】
2014081322.tif 000004
【図３】
2014081322.tif 000005
【図４】
2014081322.tif 000006